(57)【要約】【課題】ランプとインバータとを接続する追加の部材を要することなくランプを点灯させることで、バックライト装置のコストダウンが可能なトランスを提供する。【解決手段】本発明に係るトランス４０は、端子ピンを植設した端子台３、４と、巻芯部２の外周に一次巻線１０及び二次巻線１２、１３を巻回したボビン１と、コア１１とを備えており、端子台３、４にランプ接合用端子１７を設け、このランプ接合用端子１７にランプ２０の電極２０ａを直接接合して、ランプ２０を端子台３、４に装着するものであり、このトランス４０を液晶表示装置のバックライト装置用インバータに組み込むことによって、ランプとインバータとを接続するための追加の部材を要することなくランプを点灯させることが可能になる。【選択図】図１
2007027191.tif 000002
【特許請求の範囲】
【請求項１】
端子ピンを植設した端子台と、巻芯部の外周に一次巻線及び二次巻線を巻回したボビンと、コアとを備えたトランスにおいて、前記端子台にランプ接合用端子を設け、該ランプ接合用端子にランプの電極を接合して前記ランプを装着したことを特徴とするトランス。
【請求項２】
前記端子台は、前記巻芯部の両端にそれぞれ設けられ、それぞれの前記端子台は、空間を介して対向する２つの部分からなり、前記ランプ接合用端子は、前記端子台の一方の部分の他方の部分と対向する面に設けられており、前記ランプの電極を前記ランプ接合用端子に接合すると共に、前記端子台が前記ランプを装着保持することを特徴とする請求項１に記載のトランス。
【請求項３】
前記ランプ接合用端子は、ばね性を有していることを特徴とする請求項１または２に記載のトランス。
【請求項４】
前記ばね性は、前記ランプ接合用端子に形成した屈曲部により生じることを特徴とする請求項３に記載のトランス。
【請求項５】
前記端子台に前記ランプを装着保持するための装着手段をさらに備えることを特徴とする請求項１から４のいずれか１項に記載のトランス。
【請求項６】
前記装着手段は、前記ランプの外周に装着した弾性リングであり、前記ランプは、前記弾性リングを前記端子台に設けた溝に嵌合させて前記端子台に保持装着されることを特徴とする請求項５に記載のトランス。
【請求項７】
前記装着手段は、粘着シートであり、前記ランプは、前記粘着シートにより前記端子台に保持装着されることを特徴とする請求項５に記載のトランス。
【請求項８】
前記装着手段は、前記端子台に設けた爪であり、前記ランプは、前記爪により前記端子台に装着保持されることを特徴とする請求項５に記載のトランス。
【請求項９】
前記装着手段は、可撓性樹脂であり、前記ランプは、前記可撓性樹脂により前記端子台に装着保持されることを特徴とする請求項５に記載のトランス。
【請求項１０】
前記トランスは、漏洩磁束型トランスであることを特徴とする請求項１から９のいずれか１項に記載のトランス。
【請求項１１】
前記二次巻線は、前記一次巻線の両側に分割して巻回され、前記二次巻線の分割して巻回された部分のそれぞれの出力は、互いの位相が１８０度ずれた逆極性であることを特徴とする請求項１から１０のいずれか１項に記載のトランス。
【請求項１２】
前記ランプが屈曲管であり、該屈曲管の両端の電極を前記ランプ接合用端子にそれぞれ接合させたことを特徴とする請求項１から１１のいずれか１項に記載のトランス。
【請求項１３】
前記ランプが２本の直管であり、前記２本の直管の低圧側の電極同士を接続し、前記２本の直管のそれぞれの高圧側の電極を前記ランプ接合用端子に接合させたことを特徴とする請求項１から１１のいずれか１項に記載のトランス。
【請求項１４】
前記ランプが２本の直管であり、前記２本の直管のそれぞれの高圧側の電極を前記ランプ接合用端子に接合し、前記２本の直管のそれぞれの低圧側の電極をＧＮＤに接地させたことを特徴とする請求項１から１１のいずれか１項に記載のトランス。
【請求項１５】
前記ボビンを２個備え、かつ、前記ランプが２本の直管であり、前記２本の直管のそれぞれの一方の電極を一方の前記ボビンの前記ランプ接合用端子に接合し、前記２本の直管のそれぞれの他方の電極を他方の前記ボビンの前記ランプ接合用端子に接合して、前記２本の直管の両端をそれぞれの前記ボビンに接合させたことを特徴とする請求項１から１１のいずれか１項に記載のトランス。
【請求項１６】
バックライト装置の反射板またはプリント配線基板への装着手段をさらに備え、液晶表示装置のバックライト装置用インバータに組み込まれることを特徴とする請求項１から１５のいずれか１項に記載のトランス。
【請求項１７】
前記液晶表示装置は、液晶テレビジョン装置であることを特徴とする請求項１６に記載のトランス。
【発明の詳細な説明】
【技術分野】
【０００１】
本発明は、液晶表示装置のバックライト装置用のインバータに用いられるトランスに関し、特に、バックライト装置の光源であるランプをトランスに直接取り付けたトランスの構造に関する。
【背景技術】
【０００２】
液晶モニタ、液晶テレビジョン装置等の表示装置として利用されている液晶ディスプレイは非発光のため、バックライト装置のような照明装置を必要とする。このようなバックライト装置の構造としては、導光板の側面に光源である冷陰極ランプを配置し、光を導光板に入射させて拡散板を照明するエッジライト方式や、拡散板等の直下に光源である冷陰極ランプなどの放電灯を配置して照明する直下方式などが知られている。
【０００３】
液晶テレビジョン装置等の表示装置として利用される大型の液晶ディスプレイは、高輝度を必要とするため、複数本のランプを配置した直下方式のバックライト装置が主に用いられている。このような複数本のランプを配置した直下方式のバックライト装置では、インバータによって交流の高電圧を発生させたトランスからの出力信号を、コネクタおよびランプケーブルを介してランプに印加してランプを点灯させている（例えば、特許文献１参照）。
【０００４】
図１１は、特許文献１に記載された液晶表示装置のバックライト装置１００を示す平面図である。図１１に示すように、このバックライト装置１００は、複数の直管形状のランプ１１０と、ランプ１１０の両側に配置されたインバータ基板１１２とを備えている。左右のインバータ基板１１２には、それぞれランプ駆動回路部１１２ａが設けられており、ランプ１１０の半数を一方側に配置したランプ駆動回路部１１２ａで、また、残りの半数を他方側に配置したランプ駆動回路部１１２ａで駆動している。この際、ランプ駆動回路部１１２ａにて発生した高電圧は、高圧出力コネクタ１１５とランプケーブル１１０ａを介してランプ１１０の電極に印加され、ランプ１１０を点灯させている。
【０００５】
一般に、図１１に示すバックライト装置１００用のランプとして、冷陰極ランプが用いられているが、冷陰極ランプを点灯させるためには高圧の交流電圧が必要であるため、通常、発振回路の出力をトランスで昇圧して点灯させている。このようなトランスでは、二次側に高電圧が発生するため、隣接する巻線間に高電位差が生じて絶縁破壊が発生することを防止するために、二次側の巻線を複数のセクションに分割して各セクションの間にはフランジを設けることで、沿面放電の阻止に必要な沿面距離を保持した巻回構造が多用されている。このような高圧トランスとして、例えば、図１２に示すトランスがある（例えば、特許文献２参照）。
【０００６】
図１２は、上述したような巻回構造を有するトランス２００の分解斜視図であり、図１３は、図１２に示すトランス２００のコイルボビン２０１を示す平面図である。トランス２００は、コイルボビン２０１と、コイルボビン２０１に巻回した一次巻線２０７及び二次巻線２０８と、コイルボビン２０１に挿通したＩ形コア２０６と、外側コア２０５から構成されている。コイルボビン２０１には、その中空状の巻芯部２０２の両端に、それぞれ端子ピン２０４が植設された端子台２０３ａ、２０３ｂが一体に形成されており、巻芯部２０２は、巻芯部２０２の外周部に形成された複数のフランジ２０９ａ〜２０９ｉによって軸方向に複数のセクションに区分されている。一次巻線２０７は、一次巻線２０７と二次巻線２０８とを分離するフランジ２０９ｂと、端子台２０３ａ側のフランジ２０９ａとの間に形成されたセクションに巻回されて、両端の引き出し線が端子台２０３ａに設けられた端子ピン２０４に接続されている。また、フランジ２０９ｂと端子台２０３ｂ側のフランジ２０９ｉとの間はフランジ２０９ｃ〜２０９ｉによって分割されており、二次巻線２０８は、これらの複数のセクションに分割巻きされ、両端の引き出し線が端子台２０３ｂに設けられた端子ピン２０４に接続されている。
【０００７】
また、図１４は、他の構造のトランス３００の分解斜視図である（例えば、特許文献３参照）。トランス３００は、ボビン３０１と、ボビン３０１に巻回した一次巻線３０７及び二次巻線３０８、３０９と、ボビン３０１に挿通したＩ形コア３２２と、枠形コア３２５と、絶縁ホルダー３２１から構成されている。ボビン３０１の巻芯部の外周面には、複数の仕切鍔３０５が形成され、この仕切鍔３０５によって仕切られた各セクションに巻線が巻回される。巻芯部の両端にはそれぞれ端子台３１０、３１１が形成され、端子台３１０、３１１には複数の端子ピン３１２がそれぞれ植設されている。このトランス３００では、一次巻線３０７の両側に二次巻線３０８、３０９が巻回されている。
【０００８】
【特許文献１】特開２００４−３４９０４０号公報
【特許文献２】特開２０００−００３８１８号公報
【特許文献３】実用新案登録第２６０４１０３号
【発明の開示】
【発明が解決しようとする課題】
【０００９】
ここで、図１２〜図１４に示したトランス２００、３００を、図１１に示したバックライト装置１００に適用することには、次のような問題があった。すなわち、バックライト装置１００では、トランスの二次巻線からの出力を、出力コネクタ１１５を介してランプ１１０に印加して点灯させる必要があるため、ランプ１１０と出力コネクタ１１５とを接続するためのランプケーブル１１０ａの組立作業が必要となる。特に、バックライト装置１００のように、複数のランプ１１０を使用する場合には、ランプ数に応じた出力コネクタ１１５及びランプケーブル１１０ａを必要とするため、この組立作業工程に多大な労力及びコストを要するものとなっていた。また、各出力コネクタ１１５及びランプケーブル１１０ａには高耐圧性が要求されるため、バックライト装置全体に占める出力コネクタ１１５及びランプケーブル１００ａの部品コストの比率は大きなものとなり、バックライト装置１００では、ランプ数に応じた数の出力コネクタ１１５及びランプケーブル１１０ａを要するため、コストダウンが困難である。
【００１０】
本発明は、上記課題に鑑みてなされたものであり、ランプとインバータとを接続する追加の部材を要することなくランプを点灯させることで、バックライト装置のコストダウンが可能なトランスを提供することを目的とする。
【課題を解決するための手段】
【００１１】
上記目的を達成するために、本発明に係るトランスは、端子ピンを植設した端子台と、巻芯部の外周に一次巻線及び二次巻線を巻回したボビンと、コアとを備えたトランスにおいて、前記端子台にランプ接合用端子を設け、該ランプ接合用端子にランプの電極を接合して前記ランプを装着したことを特徴とする。
本発明の一態様では、前記端子台は、前記巻芯部の両端にそれぞれ設けられ、それぞれの前記端子台は、空間を介して対向する２つの部分からなり、前記ランプ接合用端子は、前記端子台の一方の部分の他方の部分と対向する面に設けられており、前記ランプの電極を前記ランプ接合用端子に接合すると共に、前記端子台が前記ランプを装着保持するものである。
【００１２】
本発明によれば、ボビンに形成したランプ接合端子にランプの電極を直接接合したので、高圧出力コネクタ及びランプケーブルを用いることなく、ランプを点灯させることができる。これによって、バックライト装置において高いコストを占める出力コネクタとランプケーブルを省略できる結果、バックライト装置の大幅なコストダウンが可能となる。また、ボビンに形成したランプ接合端子にランプの電極を直接接合したので、出力コネクタやランプケーブル箇所での断線や、擬似接触によるコロナ放電あるいはアーク放電の発生を防止できるため、バックライト装置の信頼性を向上することが可能となる。
【００１３】
また、本発明の一態様では、前記ランプ接合用端子は、ばね性を有しており、好ましくは、前記ばね性は、前記ランプ接合用端子に形成した屈曲部により生じるもである。ボビンに形成したランプ接合端子がばね性を有していることで、トランスを装着した反射板、基板、またはフレーム等の膨張や収縮による影響をランプ接合端子の弾性変形により吸収できる結果、ランプの破損を防止できる。
【００１４】
また、本発明の一態様では、前記端子台に前記ランプを装着保持するための装着手段をさらに備えるものである。この場合、前記装着手段は、前記ランプの外周に装着した弾性リングであり、前記ランプは、前記弾性リングを前記端子台に設けた溝に嵌合させて前記端子台に保持装着されるものであってもよく、また、前記装着手段は、粘着シートであり、前記ランプは、前記粘着シートにより前記端子台に保持装着されるものであってもよい。あるいは、前記装着手段を前記端子台に設けた爪として、前記ランプは、前記爪により前記端子台に装着保持されるものであってもよい。あるいは、前記装着手段は可撓性樹脂であり、前記ランプは、前記可撓性樹脂により前記端子台に保持装着されるものであってもよい。このような装着手段によって、簡易な構造でボビンにランプを確実に装着、保持することができる。
【００１５】
また、本発明の一態様では、前記トランスは、漏洩磁束型トランスとして構成され、これによって、トランスの二次側のバラストを省略できる結果、部品点数を削減することが可能になる。
【００１６】
また、本発明の一態様では、前記二次巻線は、前記一次巻線の両側に分割して巻回され、前記二次巻線の分割して巻回された部分のそれぞれの出力が、互いの位相が１８０度ずれた逆極性であることを特徴とするものであり、ランプを装着した状態の好ましい構成を具体的に記せば、次のようなものである。
すなわち、本発明に係るトランスは、前記ランプを屈曲管として、該屈曲管の両端の電極を前記ランプ接合用端子にそれぞれ接合させるものであってもよい。また、本発明に係るトランスにおいて、前記ランプを２本の直管としてもよく、その場合には、前記２本の直管の低圧側の電極同士を接続し、前記２本の直管のそれぞれの高圧側の電極を前記ランプ接合用端子に接合させるものであってもよい。この構成では、ランプの高圧側の電極に二次巻線からの出力電圧をそれぞれ互いの位相が１８０度ずれた逆極性で印加することで、高耐圧のリターン線が不要となるために有利なものである。ただし、本発明に係るトランスは、前記２本の直管のそれぞれの高圧側の電極を前記ランプ接合用端子に接合し、前記２本の直管のそれぞれの低圧側の電極をＧＮＤに接地させるものであってもよい。
【００１７】
さらに、本発明に係るトランスにおいて、前記ボビンを２個備え、前記ランプは２本の直管として、前記２本の直管のそれぞれの一方の電極を一方の前記ボビンのランプ接合用端子に接合し、前記２本の直管のそれぞれの他方の電極を他方の前記ボビンのランプ接合用端子に接合して、前記２本の直管の両端をそれぞれの前記ボビンに接合させるものであってもよい。
【００１８】
また、本発明の一態様では、本発明に係るトランスは、バックライト装置の反射板またはプリント配線基板への装着手段をさらに備え、好ましくは液晶テレビジョン装置である液晶表示装置のバックライト装置用インバータに組み込まれるものである。
【発明の効果】
【００１９】
本発明は、上記のように構成したため、高圧出力コネクタ及びランプケーブル等の、ランプとインバータとを接続する追加の部材を要することなくランプを点灯させることが可能となり、バックライト装置の大幅なコストダウンが可能となる。
【発明を実施するための最良の形態】
【００２０】
以下、本発明の実施の形態について、添付図面に基づいて説明する。
図１は、本発明の第１の実施形態におけるトランス４０を示す平面図、図２は、図１に示すトランス４０のボビン１の平面図、図３は、図２に示すボビン１の正面図、図４は、図２に示すボビン１の底面図、図５は、図２に示すボビン１の左側面図である。
【００２１】
本実施形態におけるトランス４０は、ボビン１と、コア１１と、冷陰極ランプ２０とを備えている。Ｕ字形状からなる屈曲管である冷陰極ランプ２０の両端は、装着手段２１によって端子部３Ｂ、４Ｂのそれぞれに装着、保持されており、冷陰極ランプ２０の両端の電極２０ａは、それぞれランプ接合用端子１７に半田付けあるいはレーザ溶着により接合されている。コア１１はＩ形コア１１Ａとロ形コア１１Ｂからなり、Ｉ形コア１１Ａは巻芯部２の中央孔２ａ（図５参照）に挿通され、ロ形コア１１Ｂはボビン１の外側の枠を構成するものである。コア１１の材質としては、高電気抵抗を示すＮｉ−Ｚｎ系フェライトが好ましい。また、好ましくは、トランス４０は、コア１１のギャップを調整して漏洩磁束型トランスを構成するものであり、これによって、冷陰極ランプ２０を点灯させる際に、トランス４０のリーケージインダクタンスをバラストとして機能させることができる。なお、本実施形態において、冷陰極ランプ２０はコ字形状の屈曲管としてもよい。
【００２２】
図２〜図５に示すように、ボビン１は、中空の巻芯部２の両端に巻芯部２と一体に形成された端子台３、４を有しており、巻芯部２の外周面には、同様に巻芯部２と一体にフランジ５ａ、５ｂが形成されている。フランジ５ａ、５ｂの間には、一次巻線１０が巻回され、一次巻線１０の引き出し線は、フランジ５ａに植設した端子ピン１４ｂとフランジ５ｂに植設した端子ピン１４ｃにそれぞれ絡げられている。
【００２３】
また、端子台３に隣接してフランジ６が形成され、フランジ５ａとフランジ６の間は複数のフランジ７ａ〜７ｅによって複数のセクションに分割されており、各セクションには、二次巻線１２が分割巻きにて巻回されている。二次巻線１２の一方の引き出し線は、フランジ５ａの側面に植設した端子ピン１４ａに絡げられ、他方の引き出し線は、端子台３Ａに形成された引き出し溝１５を介して端子台３Ａに植設した端子ピン１６に絡げられている。
同様に、端子台４に隣接してフランジ８が形成され、フランジ５ｂとフランジ８の間は複数のフランジ９ａ〜９ｅによって複数のセクションに分割されており、各セクションには、二次巻線１３が分割巻きにて巻回されている。二次巻線１３の一方の引き出し線はフランジ５ｂの側面に植設した端子ピン１４ｄに絡げられ、他方の引き出し線は、端子台４Ａに形成された引き出し溝１５を介して端子台４Ａに植設した端子ピン１６に絡げられている。本実施形態において、二次巻線１２と二次巻線１３の出力電圧は、それぞれ互いの位相が１８０度ずれた逆極性に出力されるように巻回されている。
【００２４】
端子台３は、中央部で分断されて、空間３Ｃを介して対向する端子台３Ａ、３Ｂを形成し、同様に、端子台４も、中央部で分断されて空間４Ｃを介して対向する端子台４Ａ、４Ｂを形成している。そして、端子台３Ａの端子台３Ｂとの対向面には、空間３Ｃ内に位置するランプ接合用端子１７が配設されている。同様に、端子台４Ａの端子台４Ｂとの対向面にも、空間４Ｃ内に位置するランプ接合用端子１７が配設されている。また、端子台３Ａ、３Ｂに形成された突起部３ａ、３ｂは、コア１１のストッパーとして機能するものである。
【００２５】
ランプ接合用端子１７は、例えば、図６に示すように、端子ピン１６と一体に形成されており、ばね性を有する屈曲部１７ａを有して、一端側には端子ピン１６が、他端側には平板部１７ｂが設けられている。そして、平板部１７ｂには穴１７ｃが形成され、この穴１７ｃに冷陰極ランプ２０の電極２０ａを挿通させ、冷陰極ランプ２０の電極２０ａと平板部１７ｂとを、例えば、半田付けまたはレーザー溶着により接合するものである。
【００２６】
端子台３Ｂ、４Ｂの底面側には、それぞれ冷陰極ランプ２０を収納するための凹部１８が形成されており、冷陰極ランプ２０は、装着手段２１によって凹部１８内に装着される。本実施形態において、装着手段２１としては、弾性リング、例えばＯリングを使用するものであってもよく、この場合、冷陰極ランプ２０の外周に装着したＯリング２１を、凹部１８の内周面に形成した溝１８ａに嵌合させることによって、冷陰極ランプ２０を凹部１８に装着、保持するものである。
また、他の装着手段として、凹部１８の内周面に粘着シートを貼着し、この粘着シートによって冷陰極ランプ２０を凹部１８に装着、保持してもよく、あるいは、凹部１８の内周面に係止爪（又はフック）を形成し、この係止爪にて冷陰極ランプ２０を凹部１８に装着、保持してもよく、あるいは、凹部１８の内周面に可撓性樹脂、例えばシリコーン樹脂を貼着し、この可撓性樹脂によって冷陰極ランプ２０を凹部１８に装着、保持するものであってもよい。
【００２７】
次に、図７〜図１０を参照して、本発明の別の実施形態について説明する。ただし、以下の説明において、上述したトランス４０と同一の部分については同一の符号を付し、重複する部分の説明は省略する。なお、図７〜図１０において、便宜上、コア１１の図示は省略する。
図７及び図８は、本発明の第２の実施形態として、図１に示した屈曲管形状の冷陰極ランプ２０の代わりに、２本の直管形状の冷陰極ランプ３０を使用したトランス５０、６０を示した平面図である。図７に示すトランス５０は、２本の冷陰極ランプ３０の、低圧側の電極３０ｂ同士を接続し、高圧側の電極３０ａをボビン１のランプ接合用端子１７に接合した場合の例を示している。トランス５０では、冷陰極ランプ３０の高圧側の電極３０ａにボビン1の二次巻線１２、１３からの出力電圧がそれぞれ互いの位相が１８０度ずれた逆極性で印加されるため、高耐圧のリターン線が不要となる。また、２本の直管形状の冷陰極ランプ３０は、図８に示すトランス６０のように、高圧側の電極３０ａをランプ接合用端子１７に接合し、それぞれの低圧側の電極３０ｂをＧＮＤに接地して使用するものであってもよい。
【００２８】
図９は、本発明の第３の実施形態として、２本の直管形状の冷陰極ランプ７０を使用したトランスの別の構成例を示した平面図である。図９に示すトランス８０では、冷陰極ランプ７０の両端にそれぞれ別のボビン1が接合されており、冷陰極ランプ７０の両端の電極７０ａには、両端のボビン１の二次巻線１２、１３からの出力電圧がそれぞれ印加されるものである。
【００２９】
図１０は、本発明に係るトランスをバックライト装置に適用する場合の構成を説明する図である。ただし、図１０では、図９に示すトランス８０を例として用いるが、上述したトランス４０〜６０をバックライト装置に適用する場合の構成についても同様のものである。
図１０に示すように、本実施形態において、トランス８０は、好ましくは、バックライト装置の構成要素である反射板２４に装着、保持されるものである。反射板２４は、金属フレームまたは樹脂フレームに反射シートを装着して構成され、反射板２４の所定の位置には、ボビン１を位置決めするための複数の孔が設けられている。また、ボビン1の端子台３Ｂの側面には、装着フック２２が端子台３Ｂと一体に形成され、端子台４Ａの側面にも、装着フック２２が端子台４Ａと一体に形成されて、それぞれの装着フック２２は、ボビン１の対角線上に位置するものである。なお、ボビン１において、装着フック２２の形成箇所および数は、これに限定されるものではなく、他方の対角線上（すなわち、端子台３Ａと端子台４Ｂ）に位置するように配設してもよく、また２箇所以上に配設してもよい。さらに、装着フック２２は、ボビン１と別体に形成するものであってもよい。
【００３０】
トランス８０は、ボビン１に設けられた装着フック２２、リード２３ａ〜２３ｄ、及びボス１９（図３、図４参照）を、反射板２４に形成されたそれぞれ対応する孔に挿入することによって、反射板２４上に位置決めされる。この際、装着フック２２の先端部には返し部２２ａが形成されているため、この返し部２２ａによって、反射板２４に装着、保持される。また、反射板２４に形成されたボス２５は、バックライト駆動回路（インバータ）が形成されたプリント配線基板２６の受け部となると共に、ボス２５に形成されたねじ孔を用いて、プリント配線基板２６を反射板２４にねじ２７で固定するためのものである。リード２３ａ〜２３ｄは、プリント配線基板２６のパターン上に形成されたスルーホール２６ａに挿入、半田付けされる。トランス８０において、それぞれのリード２３ａ〜２３ｄは、端子ピン１４ａ〜１４ｄとそれぞれ一体に構成されており、バックライト駆動回路からの出力信号は、リード２３ｂと端子ピン１４ｂ、及び、リード２３ｃと端子ピン１４ｃを介して一次巻線１０に入力されるものである。このようなバックライト装置は、液晶テレビジョン装置等の液晶表示装置に好適に使用することができる。
【００３１】
ここで、図１１に示す従来のバックライト装置１００において、インバータ基板１１２は、金属フレームまたは樹脂フレーム基板取付部に装着されている。この基板取付部には、バックライト装置１００の動作に伴って、冷陰極ランプ１１０やインバータ基板１１２からの発熱によって収縮や膨張が生じ、その膨張係数は、ガラスにて形成される冷陰極ランプ１１０の膨張係数と比較して非常に大きいものである。しかしながら、バックライト装置１００では、インバータ基板１１２と冷陰極ランプ１１０とはランプケーブル１１０ａを介して接続されており、この基板取付部と冷陰極ランプ１１０の収縮や膨張の差異がランプケーブル１１０によって吸収される結果、冷陰極ランプ１１０の破損には至らない。
この点に関連して、本発明に係るトランス８０は、同様に金属フレームや樹脂フレームからなる反射板２４に装着されると共に、冷陰極ランプ７０が、両端のボビン１に直接接合されているものである。しかしながら、冷陰極ランプ７０の両端の電極７０ａが接続されるランプ接合用端子１７は、屈曲部１７ａによるばね性を有する構造となっており、反射板２４と冷陰極ランプ７０との収縮や膨張の差異は、ランプ接合用端子１７の屈曲部１７ａの弾性変形によって吸収されるため、上述したようなランプケーブルを用いることなく、冷陰極ランプ７０の破損を防止できる。
【００３２】
以上、図１〜図１０を用いて、本発明の実施形態について説明したが、本発明に係るトランスは図示および上述した構成に限定されるものではない。例えば、ランプ接合用端子１７の屈曲部１７ａは、ランプ接合用端子１７がばね性を有する限り、その形状に限定されるものではなく、あるいは、ランプ接合用端子１７が植設される端子台３、４がばね性を有するものであってもよい。また、冷陰極ランプは端子台３、４の底面ではなく、側面に収納、保持することもできる。また、図１０では、反射板２４へのボビン１の装着は、装着フック２２にて実施するものとしたが、ボビン１の底面に装着用の突起部を形成し、反射板２４に形成した孔に装着用の突起部を押し込むことにより、ボビン1を反射板２４に装着するものであってもよい。さらに、本発明に係るトランスにおいて、コア１１は、ＥＥ型コア、Ｕ−Ｉ型コア、Ｉ−ロ型コアのいずれにて形成してもよい。
【図面の簡単な説明】
【００３３】
【図１】本発明の第１の実施形態として、屈曲管形状のランプを接合した構成のトランスを示す平面図である。
【図２】図１に示すトランスで使用されるボビンの平面図である。
【図３】図２に示すボビンの正面図である。
【図４】図２に示すボビンの底面図である。
【図５】図２に示すボビンの側面図である。
【図６】ランプ接合用端子の一例を示す図である。
【図７】本発明の第２の実施形態の一例として、２本の直管形状のランプの低圧側の電極同士を接続した構成のトランスを示す平面図である。
【図８】本発明の第２の実施形態の別の例として、２本の直管形状のランプの低圧側の電極を接地した構成のトランスを示す平面図である。
【図９】本発明の第３の実施形態として、２本の直管形状のランプの両端にそれぞれボビンを取り付けた構成のトランスを示す平面図である。
【図１０】図９に示すトランスをバックライト装置の反射板に装着した状態を説明する図である。
【図１１】従来の液晶表示装置のバックライト装置を示す平面図である。
【図１２】従来のトランスの構成例を示す分解斜視図である。
【図１３】図１３に示すトランスのボビンを示す平面図である。
【図１４】従来のトランスの別の構成例を示す分解斜視図である。
【符号の説明】
【００３４】
１：ボビン、２：巻芯部、３,４：端子台、３Ｃ，４Ｃ：空間、１０：一次巻線、１１：コア、１２，１３：二次巻線、１４ａ〜１４ｄ，１６：端子ピン、１７：ランプ接合用端子、１７ａ：屈曲部、２０，３０，７０：冷陰極ランプ、２０ａ，３０ａ，３０ｂ，７０ａ：電極、２１：弾性リング（装着手段）、２４：反射板、４０，５０，６０，８０：トランス
【図１】
2007027191.tif 000003
【図２】
2007027191.tif 000004
【図３】
2007027191.tif 000005
【図４】
2007027191.tif 000006
【図５】
2007027191.tif 000007
【図６】
2007027191.tif 000008
【図７】
2007027191.tif 000009
【図８】
2007027191.tif 000010
【図９】
2007027191.tif 000011
【図１０】
2007027191.tif 000012
【図１１】
2007027191.tif 000013
【図１２】
2007027191.tif 000014
【図１３】
2007027191.tif 000015
【図１４】
2007027191.tif 000016